(57)【要約】【課題】  カーポートの屋根を支承するサポート支柱の非設置時に，地表に残る埋込金具の上向き開口ボックスを閉塞して塵埃の入り込みやハイヒールの嵌り込みのトラブルを解消できるようにする。【解決手段】  サポート支柱４下端のフック３２を引掛係止するように埋込金具４０の上向き開口ボックス４１に横断的に設置したフック受４３にリンク５４の一端を回転自在に軸支し，またボックスカバー５０の下面に設置した受片５１にリンク５４の他端を同じく回転自在に軸支して，上向き開口のボックス４１を開閉自在に閉塞被覆する。このときリンク５４の長さをボックス４１の略１／２長さとすることによって閉鎖状態でリンク５４をボックス４１に納めてボックスカバー５０が地表と同一面をなすようにボックス４１を被覆する一方，開閉状態でボックス４１近傍の地表に転倒載置して同じく地表と同一面をなし，該ボックスカバー５０が地表に起立突出するのを防止する。【選択図】        図５
2006052579.tif 000002
【特許請求の範囲】
【請求項１】
上向き開口のボックスと該ボックス内に配置したフック受とを備えて地表に埋込設置し，カーポートのサポート支柱下端に配置したフックを上記ボックス内に受け入れて上記フック受に係脱自在に固定することによってサポート支柱を地表側で受入れ支持する地表埋込用の金具であって，上記上向き開口のボックスをその上面で開閉自在に被覆閉塞するボックスカバーを配置したことを特徴とするカーポートのサポート支柱用地表埋込支持金具。
【請求項２】
上記ボックスカバーを，上記上向き開口のボックス上方に軸支することによって開閉自在に配置してなることを特徴とする請求項１に記載のカーポートのサポート支柱用地表埋込支持金具。
【請求項３】
上記ボックスカバーを，上記上向き開口のボックス上方に回動自在に設置したリンクを介して回動自在に連結することによってボックスカバーを一体的にして開閉自在に配置するとともにボックス開放時にボックスカバーを近傍地表上に回動して転倒載置自在としてなることを特徴とする請求項１に記載のカーポートのサポート支柱用地表埋込支持金具。
【請求項４】
上記リンクを，ボックス側においてその上方のサポート支柱回動方向中央位置に配置するとともにリンク長さをボックス長さの略１／２のものとしてなることを特徴とする請求項３に記載のカーポートのサポート支柱用地表埋込支持金具。
【請求項５】
上記リンクの配置を，ボックス上方のサポート支柱回動方向中央位置に設置したフック受に対して行なってなることを特徴とする請求項４に記載のカーポートのサポート支柱用地表埋込支持金具。
【発明の詳細な説明】
【技術分野】
【０００１】
本発明は，カーポートのサポート支柱を地表側で支承するように用いるカーポートのサポート支柱用地表埋込支持金具に関する。
【背景技術】
【０００２】
この種カーポートのサポート支柱は，その支柱に片持ちした屋根における強風による煽りや降雪による垂れ下がりを防止して，屋根に耐風圧性や耐加重性を付与するように，屋根先端や屋根の梁先端等の屋根自由端に吊り設置してその下端を地表側の支持金具によって受入れ支持して屋根自由端を支承するものとされ，一般に該支持金具は上向き開口のボックスと該ボックス内に配置したフック受とを備えて地表に埋込設置し，該サポート支柱下端に配置したフックを上記ボックス内に受け入れて上記フック受に係脱自在に固定することによってその地表側での受入れ支持を行なうものとされ，このときサポート支柱はその屋根自由端の支持を不要とするときには，これを吊り設置した屋根自由端に跳ね上げ回動して回動収納するか，サポート支柱を屋根自由端から取り外し自在として，例えば屋根を片持ちした支柱に添設収納するものとされている。
【０００３】
【特許文献１】特開平９−２２１９２８号
【発明の開示】
【発明が解決しようとする課題】
【０００４】
この場合必要なときにサポート支柱による屋根の簡易にして確実な支承が可能となる一方，支承の不要時にはサポート支柱を撤去してサポート支柱が邪魔になるのを防止して使い勝手のよいカーポートとすることが可能となるが，サポート支柱を撤去したときに上記埋込設置した上向き開口のボックスを有する支持金具がそのまま地表に残るため，該ボックス内に塵埃が入り込み，該ボックス内スペースやボックスに配置したフック受が入り込んだ塵埃で埋まってサポート支柱の受入れ支持が不能となり，また一般にサポート支柱は，屋根自由端とその側方に突出した地表位置との間で傾斜して配置されることが多いから，支持金具の位置が，例えばカーポートに収納した車両のドア位置の外側近傍となることも多く，この場合にカーポートの車両に乗降する運転者や同乗者，特に女性が履いたハイヒールのヒール部分が上向き開口のボックス内スペースに嵌まり込んで転倒を招く危険が残されている。
【０００５】
本発明はかかる事情に鑑みてなされたもので，その解決課題とするところは，支承の不要時にサポート支柱を撤去することに伴い地表に上向き開口のボックスが残ることによって生じる塵埃の入り込みや転倒の可能性を解消することができるようにしたカーポートのサポート支柱用地表埋込支持金具を提供するにある。
【課題を解決するための手段】
【０００６】
上記課題に添って本発明は，上記サポート支柱を受入れ支持する支持金具に開閉自在のボックスカバーを配置し，該ボックスカバーによって上向き開口のボックスをその上面で被覆閉塞するようにし，サポート支柱の撤去状態でボックスが開口するのを防止するようにしたものであって，即ち請求項１に記載の発明を，上向き開口のボックスと該ボックス内に配置したフック受とを備えて地表に埋込設置し，カーポートのサポート支柱下端に配置したフックを上記ボックス内に受け入れて上記フック受に係脱自在に固定することによってサポート支柱を地表側で受入れ支持する地表埋込用の金具であって，上記上向き開口のボックスをその上面で開閉自在に被覆閉塞するボックスカバーを配置したことを特徴とするカーポートのサポート支柱用地表埋込支持金具としたものである。
【０００７】
請求項２に記載の発明は，上記に加えて，ボックスカバーの設置を安定且つ確実になし得るものとするように，これを，上記ボックスカバーを，上記上向き開口のボックス端部上方に軸支することによって開閉自在に配置してなることを特徴とする請求項１に記載のカーポートのサポート支柱用地表埋込支持金具としたものである。
【０００８】
請求項３に記載の発明は，同じく上記に加えて，ボックス開放時にボックスカバーがボックスに直立したり傾斜起立することによって歩行の障害等を招くことなく，該ボックスカバーをボックス近傍の地表に転倒した状態に載置し得るように，これを，上記ボックスカバーを，上記上向き開口のボックス上方に回動自在に設置したリンクを介して回動自在に連結することによってボックスカバーを一体的にして開閉自在に配置するとともにボックス開放時にボックスカバーを近傍地表上に回動して転倒載置自在としてなることを特徴とする請求項１に記載のカーポートのサポート支柱用地表埋込支持金具としたものである。
【０００９】
請求項４に記載の発明は，同じく上記に加えて，上記リンクの配置位置を規制してボックスカバー配置を好ましい形態のものとするように，これを，上記リンクを，ボックス側においてその上方のサポート支柱回動方向中央位置に配置するとともにリンク長さをボックス長さの１／２としてなることを特徴とする請求項３に記載のカーポートのサポート支柱用地表埋込支持金具としたものである。
【００１０】
請求項５に記載の発明は，同じく上記に加えて，上記リンクの配置をサポート支柱のフックを受けるフック受に行なうことによって支持金具の構造が複雑化するのを防止し得るように，これを，上記リンクの配置を，ボックス上方のサポート支柱回動方向中央位置に設置したフック受に対して行なってなることを特徴とする請求項４に記載のカーポートのサポート支柱用地表埋込支持金具としたものである。
【発明の効果】
【００１１】
本発明は以上のとおりに構成したから，請求項１に記載の発明は，支承の不要時にサポート支柱を撤去することに伴い地表に上向き開口のボックスが残ることによって生じる塵埃の入り込みや転倒の可能性を解消することができるようにしたカーポートのサポート支柱用地表埋込支持金具を提供することができる。
【００１２】
請求項２に記載の発明は，上記に加えて，ボックスカバーの設置を安定且つ確実になし得るものとすることができる。
【００１３】
請求項３に記載の発明は，同じく上記に加えて，ボックス開放時にボックスカバーがボックスに直立したり傾斜起立することによって歩行の障害等を招くことなく，該ボックスカバーをボックス近傍の地表に転倒した状態に載置し得るものとすることができる。
【００１４】
請求項４に記載の発明は，同じく上記に加えて，上記リンクの配置位置を規制してボックスカバー配置を好ましい形態のものとすることができる。
【００１５】
請求項５に記載の発明は，同じく上記に加えて，上記リンクの配置をサポート支柱のフックを受けるフック受に行なうことによって支持金具の構造が複雑化するのを防止し得るものとすることができる。
【発明を実施するための最良の形態】
【００１６】
以下図面の例に従って本発明を更に具体的に説明すれば，Ａはカーポートであり，１はその支柱，２は梁，３は屋根，４は該屋根３の自由端と地表との間で該屋根３の自由端を支承し，屋根３の強風による煽りや積雪による垂れ下りを防止するサポート支柱を示す。
【００１７】
サポート支柱１は長さ調整自在に構成し，その上端に配置した引掛部を屋根自由端，本例にあっては梁２の先端に設置した吊り支持金具１０に係脱自在に吊り固定することによって，その上端を取り外し自在に支持し，また下端に配置したフック３２を地表に埋込設置した埋込金具４０のフック受４３に係脱自在に固定し，その下端を同じく取り外し自在に支持することによって，屋根自由端と地表間に介設して屋根３を支承するようにしてある。
【００１８】
本例にあって吊り支持金具１０は，例えば上向き開口の断面コ字状とした基部１１と，該基部１１から垂下した一対の壁面１２と，該壁面１２間に架設した水平杆１３とを備えた金属製の部材としてあり，上記基部１１を梁２の先端を下面から抱持しボルトナット等の固定金具によって屋根自由端交差方向に回動自在に軸支固定して，梁２の先端下位に水平杆１３を配置するものとしてある。
【００１９】
本例にあってサポート支柱４の引掛部は，例えばサポート支柱４上端に別体の引掛金具２０を設置してこれを配置したものとしてあり，該引掛金具２０は，例えばサポート支柱４の中空部に下方を嵌合固定するように，本例にあってサポート支柱４に嵌合する筒形のものとし，その上端から同一方向に向けて１／４円乃至１／８円程度，本例にあっては１／４円程度の長さを有するように外周面に相対向してＬ字状に切欠加工によって形成した対向一対のＬ字状溝２１を有する同じく金属製の部材とし，該Ｌ字状溝２１をサポート支柱４の上端から上方に突出するようにこれをサポート支柱４に嵌合し，該サポート支柱４の外周からネジ等の固定金具によってその固定を行なったものとしてある。
【００２０】
従って吊り支持金具１０に対するサポート支柱４の吊り支持は，吊り支持金具１０の上記水平杆１３を，引掛部，本例にあっては引掛金具１０の対向一対のＬ字状溝２１に受入れるように，該引掛金具２０のＬ字状溝２１の開口を水平杆１３に向けて，これを受入れた後に円周方向に１／４円程度回転することによって，これを行なうものとしてあり，このとき吊り支持金具１０を上記屋根自由端交差方向に回動自在としたことによって，該サポート支柱４は，該吊り支持金具１０によってカーポートＡの屋根３の自由端交差方向に回動自在としてその吊り支持を行なってある。
【００２１】
また埋込金具４０は，上向き開口のボックス４１と該ボックス４１内に配置したフック受４３とを備えて地表に埋込設置し，その上記サポート支柱４下端のフック３２の係脱自在の固定を，埋込金具４０のボックス４１内に該下端のフック３２を受け入れてこれを固定し，サポート支柱４を地表側で受入れ保持するものとしてある。
【００２２】
本例にあって該埋込金具４０は，上記屋根自由端の吊り支持金具１０に吊り支持したサポート支柱４の回動方向に長く形成し，周縁を傾斜面とし，上端に外方に向けて張り出した張出フィン４２と，該張出フィン４２より幾分下位の長手方向上方，本例にあっては上端近傍中央位置，即ちサポート支柱４回動方向中央位置に軸受用一対の透孔とを有する平面矩形にして上向き開口のボックス４１と，該長手方向中央位置の一対の透孔にこれを貫通するように軸支することによってボックス４１上方に横断的に架設固定した水平バーによるフック受４３と，上記ボックス４１の長手方向両端に設置したアンカー４４とを備えた金属製の部材とし，アンカー４４をコンクリート内に深く埋め込み，上記張出フィン４２を地表面と面一とするようにカーポートＡの屋根自由端より幾分側方に突出した地表位置に埋込固定したものとしてある。
【００２３】
本例にあってサポート支柱４のフック３２は，例えば該サポート支柱４を長さ調整自在とするように該サポート支柱４の下方に突没自在に嵌挿設置し調整ボルトで固定するようにした調整杆５を介してサポート支柱４の下端に設置してあり，本例のフック３２は，該調整杆５下端に別体の係止金具３０を設置することによってこれを配置したものとしてあり，該係止金具３０は，例えば上部を調整杆５の中空部に嵌合固定し，下部をフック３２とするように，本例にあって側面Ｓ字状をなす本体３１と調整杆５の中空部への嵌合幅を確保して嵌合時の転びを防止するように該本体３１に溶着した転び防止金具３３とを有する金属製の金具とし，上記Ｓ字状の本体３１の上部と転び防止金具３３を，調整杆５の下端からフック３２が下方に突出するようにこれを該調整杆５に嵌合し，同じくその外周からネジ等の固定金具によって固定し，調整杆５の長さを調整することによってサポート支柱４の下端にその突出位置を調整自在に配置したしたものとしてある。
【００２４】
従って上記屋根３自由端の吊り支持金具１０に吊り支持した上記サポート支柱４を屋根３交差方向に回動し，下端のフック３２位置を調整杆５の長さ調整によって調整し，該フック３２を埋込金具４０のボックス４１内に入れるとともにそのフック受４３に引掛固定するようにしてあり，これによって上記吊り支持金具１０と埋込金具４０に支持したサポート支柱４が屋根３の自由端，本例にあっては梁２の先端間にあって，屋根３を支承するものとしてある。
【００２５】
吊り支持金具１０と埋込金具４０に支持したサポート支柱４は，その支持と逆の手順によって取り外しが可能となるから，屋根３の支承が不要のときにこれを撤去，即ち本例にあってこれを取り外して，支柱１に上端の引掛金具２０と下端の係止金具３０を支持し得るように構成した上部金具１ａと下部金具１ｂを設置することによって，これらによって支柱１の外側面に添設収納を可能としてある。
【００２６】
このとき埋込金具４０は，その上記上向き開口のボックス４１をその上面で開閉自在に被覆閉塞するボックスカバー５０を配置し，上記サポート支柱４を撤去，即ち取り外したことによって上向き開口のボックス４１がそのまま地表に露出するように残ることによるボックス４１内スペースに塵埃が入り込んで，該上向き開口のボックス４１やそのフック受４３が塵埃で埋まってサポート支柱４の受入れ支持が不能となったり，女性の運転者や同乗者のハイヒールが上向き開口のボックス４１内スペースに嵌まり込んで転倒を招くようなトラブルを解消し得るようにしてある。
【００２７】
本例にあってボックスカバー５０は，これを，上記上向き開口のボックス４１上方に回動自在に設置したリンク５４を介して回動自在に連結することによってボックスカバー５０を一体的にして開閉自在に配置するとともにボックス４１開放時にボックスカバー５０を近傍地表上に回動して転倒載置自在としてある。
【００２８】
本例のリンク５４は，これを，ボックス４１側においてその上方のサポート支柱４回動方向中央位置に配置するとともにリンク５４長さをボックス４１長さの略１／２としたものとしてあり，このとき上記リンク５４の配置は，上記ボックス４１上方の上端近傍中央位置，即ちサポート支柱４回動方向中央位置に設置したフック受４３に対して行なったものとしてある。
【００２９】
即ち，本例にあってボックスカバー５０は，埋込金具４０における上向き開口のボックス４１を被覆閉塞するようにその張出フィン４２を覆う面積を有する平面矩形にしてその長手方向一側端部又はその近傍の下面に，例えばコ字状金具を溶着することによって下向き一対のリンク受用の支軸５２を設置した受片５１を配置する一方，上面に滑り止め用のコイニング加工を施し，またコ字状金具配置位置の上面には部分的に切起し加工を施すことによって開閉用の手掛５３を設置した金属板製のものとしてあり，このとき地表にあって人等の荷重を受けても充分な耐荷重性を備えたものとするように，これを厚肉の金属板製としてある。
【００３０】
リンク５４は，それぞれ長手方向両端の一方に透孔を，他方にボス加工の軸受５６を配置した，本例にあってプレート状とした一対のリンクバー５５と，該一対のリンクバー５５を連結する連結杆５７とを有する平面Ｈ字状乃至コ字状等，本例にあってはＨ字状をなす，例えば金属板を折曲加工したものとしてあり，このとき一対のリンクバー５５は，その長さを上記ボックス４１長さの略１／２とするとともにその連結片５７によって連結した幅を上記ボックス４１の開口幅より狭く，上記サポート支柱４のフック３２幅より広くなるように形成してあり，また一対のリンクバー５５の長手方向両端一方の透孔及び軸受５６は，これを該一対のリンクバー５５端部間でそれぞれ相互に対向するように配置してある。
【００３１】
リンク５４は，その対向するリンクバー５５の上記透孔を，上記ボックス４１上方に横断的に架設固定したボックス４１長手方向中央位置におけるフック受４３の幅方向両端に回転自在に軸支し，また軸受５６にボックスカバー５０の受片５１に形成した支軸５２を回転自在に軸支することによって，該ボックスカバー５０をボックス４１上面で開閉自在にその上向き開口を被覆閉塞するようにしてある。
【００３２】
従って，サポート支柱４を必要としない，例えば台風時期や寒冷地の積雪時期以外の時期に，吊り支持金具１０と埋込金具４０からサポート支柱４を取り外すことによって上向きに開口して地表に残る埋込金具４０の上向き開口のボックス４１を該ボックスカバー５０によって閉塞して，その上向き開口が地表に残存することによるトラブルを解消でき，サポート支柱４を必要とする時期に該ボックスカバー５０を開放して上向き開口のボックス４１が地表に露出することによって，サポート支柱４による屋根自由端の支承を行なうことができる。
【００３３】
本例のボックスカバー５０は，ボックス４１長さの略１／２の長さにして幅をボックス４１内に納まるリンク５４を用い，該リンク５４によってボックスカバー５０下面一側端部の受片５１とボックス４１内の上方にして長手方向中央位置のフック受４３との間に介設したことによって，リンク５４がボックス４１内に納まった状態で，該ボックス４１のフック受４３を回動中心とするように回動してその開閉を行なう結果，ボックスカバー５０は，ボックス４１の閉鎖状態で該ボックス４１の張出フィン４２上に載置して地表と略面一になるとともにボックス４１の開放状態でボックス４１の長手方向一側に持ち送りされるように回動して近傍地表上に転倒して載置し同じく地表と略面一になることによって，本例のボックスカバー５０は，これが地表に突出して，サポート支柱４がない時期に，例えば車両のタイヤが当たって変形や破損が生じたり，人が躓いたりするトラブルを招くことのないものとすることができる。
【００３４】
図示した例は以上のとおりとしたが，例えばフック受とは別のリンク軸支用に支軸をボックスに設置し，その支軸位置を基準にして，例えばボックスカバーを地表上に転倒載置するようにリンク長さを設定すること，ボックスカバーを，サポート支柱の屋根支承時に，例えば１／２円程度ボックスに対して回動するようにボックス端部に軸支することによって，その開放時にサポート支柱の下端近傍に起立し，また閉鎖時に地表と略面一になるようにボックスに載置するようにすること等を含めて，カーポート，埋込金具，その上向き開口のボックス，フック受，屋根，サポート支柱，ボックスカバー，必要に応じて用いるリンク等の各具体的形状，構造，材質，これらの関係，これらに対する付加等は，上記発明の要旨に反しない限り，様々な形態のものとすることができる。
【図面の簡単な説明】
【００３５】
【図１】カーポートにサポート支柱を設置した状態を示す斜視図である。
【図２】吊り支持金具，サポート支柱及び埋込金具の関係を示す斜視図である。
【図３】吊り支持金具とサポート支柱側の引掛金具の関係を示す斜視図である。
【図４】サポート支柱の係止金具と埋込金具の関係を示す斜視図である。
【図５】ボックスカバーを開放した状態の埋込金具の斜視図である。
【図６】ボックスカバーを半開きした状態の埋込金具の斜視図である。
【図７】ボックスカバーを閉鎖した状態の埋込金具の斜視図である。
【符号の説明】
【００３６】
Ａ  カーポート
１  支柱
２  梁
３  屋根
４  サポート支柱
１０  吊り支持金具
２０  引掛金具
３０  係止金具
４０  埋込金具
４１  ボックス
４３  フック受
５０  ボックスカバー
５４  リンク
【図１】
2006052579.tif 000003
【図２】
2006052579.tif 000004
【図３】
2006052579.tif 000005
【図４】
2006052579.tif 000006
【図５】
2006052579.tif 000007
【図６】
2006052579.tif 000008
【図７】
2006052579.tif 000009